(57)【要約】【課題】過電流や短絡電流等の大きな電流が流れたときに起こるコイルの巻き戻りを簡単な構造で防止することができる回路遮断器の電磁引き外し装置を提供する。【解決手段】電磁引き外し装置２のコイル５の一端５ａを端子装置８の端子板９の端部に溶接して固定する。また、回路遮断器１のケース１０の内部に巻き戻り防止手段として巻き戻り防止リブ１１を突設し、この巻き戻り防止リブ１１に挿通孔１１ａを穿設する。そして、コイル５の他端５ｂを巻き戻り防止リブ１１の挿通孔１１ａに挿通させて固定する。【選択図】　　　　図１
2004119237.tif 000002
【特許請求の範囲】
【請求項１】
略Ｌ字形の継鉄と、該継鉄に固着された固定鉄心と、該固定鉄心の外周に巻装されたコイルと、前記固定鉄心に対向して設けられ、前記コイルに過電流や短絡電流が流れたときに前記固定鉄心に吸引されて主電路を遮断させる可動鉄片と、該可動鉄片を前記固定鉄心から開離した状態に支持するバネとで成る回路遮断器の電磁引き外し装置において、前記コイルの一端を端子装置の端子板に溶接して固定するとともに、他端を前記コイルの巻き戻り防止手段により固定したことを特徴とする回路遮断器の電磁引き外し装置。
【発明の詳細な説明】
【０００１】
【発明の属する技術分野】
本発明は、回路遮断器の主電路に過電流や短絡電流が流れたときに主電路を遮断させる電磁引き外し装置に関する。
【０００２】
【従来の技術】
従来、回路遮断器の電磁引き外し装置としては、例えば、特開平６−５２７８０号公報に開示される検出用電磁石がある。この検出用電磁石（９４）のコイル（１０４）は一端部が軸方向に折り返されて端子板（１８７）の突片（１９１）に溶接され、また、コイル（１０４）の他端部は銅より線（１１３）の一端に溶接していた。
【０００３】
電磁引き外し装置は、主電路に過電流や短絡電流等の大きな電流が流れると、コイルが巻き戻る現象が起こってしまう。そのため、上記の検出用電磁石（９４）はコイル（１０４）の他端が銅より線（１１３）に接続されているだけで固定されてはいないのでコイル（１０４）が巻き戻ってしまうという問題があった。近年の回路遮断器は小型化により内部スペースが小さくなっているため、コイルが巻き戻ると回路遮断器内部で他の部品に接触して短絡する虞があった。
【０００４】
このため、特開平８−３０６２７３号公報に開示される駆動コイルのように、駆動コイル（３）の巻線（３１）上に粘着テープ（３３）を巻回することでコイルの巻き戻りを防止していた。
【０００５】
【発明が解決しようとする課題】
しかしながら、巻線（３１）への粘着テープ（３３）の巻き付け作業は手間がかかるという欠点があった。
【０００６】
そこで上記問題点に鑑み、本発明の目的は、過電流や短絡電流等の大きな電流が流れたときに起こるコイルの巻き戻りを簡単な構造で防止することができる回路遮断器の電磁引き外し装置を提供することである。
【０００７】
【課題を解決するための手段】
上記目的を達成するために、略Ｌ字形の継鉄と、継鉄に固着された固定鉄心と、固定鉄心の外周に巻装されたコイルと、固定鉄心に対向して設けられ、コイルに過電流や短絡電流が流れたときに固定鉄心に吸引されて主電路を遮断させる可動鉄片と、可動鉄片を固定鉄心から開離した状態に支持するバネとで成る回路遮断器の電磁引き外し装置において、コイルの一端を端子装置の端子板に溶接して固定するとともに、他端をコイルの巻き戻り防止手段により固定したことを特徴とする。
【０００８】
【発明の実施の形態】
電磁引き外し装置のコイルの一端を端子装置の端子板の端部に溶接して固定する。また、回路遮断器の内部に巻き戻り防止手段として巻き戻り防止リブを突設し、この巻き戻り防止リブに挿通孔を穿設する。そして、コイルの他端を巻き戻り防止リブの挿通孔に挿通させて固定する。
【０００９】
【実施例】
本発明に係る回路遮断器の電磁引き外し装置の第１実施例を図１及び図２の添付図面に基づいて説明する。
【００１０】
回路遮断器１の主電路に過電流や短絡電流が流れたときに主電路を遮断させる電磁引き外し装置２は、基板３ａと側板３ｂとで略Ｌ字形に形成された継鉄３と、継鉄３の基板３ａに貫通して固着された固定鉄心４と、固定鉄心４の外周に巻装されたコイル５と、固定鉄心４の先端に対向して設けられ、コイル５に過電流や短絡電流が流れたときに固定鉄心４に一端６ａが吸引され、他端６ｂが引き外し機構を動作させて主電路を遮断させる可動鉄片６と、可動鉄片６を固定鉄心４から開離した状態に支持するバネ７とで構成している。
【００１１】
コイル５の一端５ａは端子装置８の端子板９の端部に溶接されて固定されている。端子板９は端子装置８とともに回路遮断器１のケース１０に固定されている。また、コイル５の他端５ｂは回路遮断器１のケース１０の内部に突設した巻き戻り防止リブ１１の挿通孔１１ａに挿通されて固定され、先端に可撓導線１２を溶接により接続して主電路を形成している。
【００１２】
これにより、電磁引き外し装置２は主電路に過電流や短絡電流等の大きな電流が流れたときにコイル５が巻き戻ろうとしても両端が固定されているので巻き戻ることがない。
【００１３】
本発明に係る回路遮断器の電磁引き外し装置の第２実施例を図３の添付図面に基づいて説明する。尚、第１実施例と同一部分には同一符号を付してある。
【００１４】
本実施例の電磁引き外し装置２は、巻き戻り防止手段の形状が第１実施例と異なっている。即ち、巻き戻り防止手段として回路遮断器１のケース１０の内部に巻き戻り防止リブ２１が突設され、巻き戻り防止リブ２１によってコイル５の他端５ｂが巻き戻る方向への変形を規制している。
【００１５】
本発明に係る回路遮断器の電磁引き外し装置の第３実施例を図４及び図５の添付図面に基づいて説明する。尚、第１実施例及び第２実施例と同一部分には同一符号を付してある。
【００１６】
本実施例の電磁引き外し装置２は、巻き戻り防止手段が第１実施例及び第２実施例と異なっている。即ち、巻き戻り防止手段としては電磁引き外し装置２のコイル５の上下位置を調節するためにコイル５と継鉄３の基板３ａとの間に介在されたスペーサ３１が用いられ、スペーサ３１に挿通孔３１ａを穿設し、この挿通孔３１ａにコイル５の他端５ｂを挿通させて固定している。
【００１７】
これらのように、巻き戻り防止手段の形状及び部材について限定はなく、本発明の趣旨を逸脱しない範囲で適宜変更可能である。
【００１８】
【発明の効果】
以上説明したように、略Ｌ字形の継鉄と、継鉄に固着された固定鉄心と、固定鉄心の外周に巻装されたコイルと、固定鉄心に対向して設けられ、コイルに過電流や短絡電流が流れたときに固定鉄心に吸引されて主電路を遮断させる可動鉄片と、可動鉄片を固定鉄心から開離した状態に支持するバネとで成る回路遮断器の電磁引き外し装置において、コイルの一端を端子装置の端子板に溶接して固定するとともに、他端をコイルの巻き戻り防止手段により固定したことにより、過電流や短絡電流等の大きな電流が流れたときに起こるコイルの巻き戻りを簡単な構造で防止することができるという優れた効果がある。
【図面の簡単な説明】
【図１】本発明の第１実施例に係る回路遮断器の一部を切り欠いて内部を示す正面図である。
【図２】本発明の第１実施例に係る回路遮断器のケースの内部を示す部分平面図である。
【図３】本発明の第２実施例に係る回路遮断器のケースの内部を示す部分平面図である。
【図４】本発明の第３実施例に係る電磁引き外し装置と端子板を示す正面図である。
【図５】本発明の第３実施例に係る電磁引き外し装置のスペーサと継鉄を示す平面図である。
【符号の説明】
１…回路遮断器
２…電磁引き外し装置
５…コイル
８…端子装置
９…端子板
１０…ケース
１１…巻き戻り防止リブ
１１ａ…挿通孔
【図１】
2004119237.tif 000003
【図２】
2004119237.tif 000004
【図３】
2004119237.tif 000005
【図４】
2004119237.tif 000006
【図５】
2004119237.tif 000007